【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
（ｉ）１つまたは複数のコンピューティングデバイスの各々のステータスと、（ｉｉ）各々のアプリケーションが前記コンピューティングデバイスのうちの少なくとも１つによってホスティングされる、１つまたは複数のアプリケーションの各々のステータスと、（ｉｉｉ）各々のジョブが前記アプリケーションのうちの少なくとも１つに関連付けられた、１つまたは複数のジョブの各々のステータスとを監視することと、
前記コンピューティングデバイスのうちの１つのコンピューティングデバイスの前記ステータスと、前記アプリケーションのうちの１つのアプリケーションの前記ステータスと、前記ジョブのうちの１つのジョブの前記ステータスとのうちの１つが、対応するコンピューティングデバイス、アプリケーションまたはジョブに関連付けられた性能問題を示すと決定することであって、前記コンピューティングデバイス、アプリケーションまたはジョブの性能と少なくとも１つの所定の基準との比較に基づいて行われることと、
前記性能問題に関連付けられたアクションが実行されることを可能にすることと、
を含む、方法。
【請求項２】
前記監視することは、統合制御システムを用いて、前記１つまたは複数のコンピューティングデバイスの各々の前記ステータスと、前記１つまたは複数のアプリケーションの各々の前記ステータスと、前記１つまたは複数のジョブの各々の前記ステータスとを監視することを含む、請求項１に記載の方法。
【請求項３】
アクションが実行されることを可能にすることは、前記アクションを自動的に実行することを含む、請求項１に記載の方法。
【請求項４】
アクションが実行されることを可能にすることは、ユーザからの入力に応答して前記アクションを実行することを含む、請求項１に記載の方法。
【請求項５】
アクションが実行されることを可能にすることは、前記性能問題を示すアラートを提供することと、前記性能問題を示す通信を送信することとのうちの１つまたは複数を含む、請求項１に記載の方法。
【請求項６】
コンピューティングデバイスの前記ステータスを監視することは、前記コンピューティングデバイスのＣＰＵ使用量と、前記コンピューティングデバイスのメモリ使用量とのうちの１つまたは複数を監視することを含む、請求項１に記載の方法。
【請求項７】
アプリケーションの前記ステータスを監視することは、前記アプリケーションの構成ステータスを監視することを含む、請求項１に記載の方法。
【請求項８】
アクションが実行されることを可能にすることは、ユーザが前記アプリケーションを構成することを可能にすることを含む、請求項７に記載の方法。
【請求項９】
アプリケーションの前記ステータスを監視することは、前記アプリケーションのライセンスステータスを監視することを含む、請求項１に記載の方法。
【請求項１０】
アクションが実行されることを可能にすることは、前記アプリケーションに関連付けられたライセンスキーをユーザに催促することを含む、請求項９に記載の方法。
【請求項１１】
アクションが実行されることを可能にすることは、前記ユーザから前記ライセンスキーを受信し、前記受信したライセンスキーに基づいて前記アプリケーションの前記ライセンスステータスを更新することを含む、請求項１０に記載の方法。
【請求項１２】
ジョブの前記ステータスを監視することは、前記ジョブのアクティビティと、前記ジョブの実際の開始時間と、前記ジョブの推定開始時間と、前記ジョブに関連付けられた処理持続時間と、前記ジョブのサイズとのうちの１つまたは複数を監視することを含む、請求項１に記載の方法。
【請求項１３】
ジョブの前記ステータスを監視することは、前記ジョブに関連付けられた１つまたは複数のサービスの前記ステータスを監視することを含む、請求項１に記載の方法。
【請求項１４】
前記サービスは、データベース、キューおよびファイルのうちの１つまたは複数を含む、請求項１３に記載の方法。
【請求項１５】
前記コンピューティングデバイスのうちの少なくとも１つのコンピューティングデバイスの前記ステータスと、前記アプリケーションのうちの少なくとも１つのアプリケーションの前記ステータスと、前記ジョブのうちの少なくとも１つのジョブの前記ステータスとのうちの１つまたは複数を示す情報をユーザに提供することを含む、請求項１に記載の方法。
【請求項１６】
前記情報を提供することは、ユーザインタフェース上で前記情報を表示することを含む、請求項１５に記載の方法。
【請求項１７】
監視される前記コンピューティングデバイスのうちの少なくとも１つと、監視される前記アプリケーションのうちの少なくとも１つと、監視される前記ジョブのうちの少なくとも１つとのうちの１つまたは複数を自動的に特定することを含む、請求項１に記載の方法。
【請求項１８】
ユーザから、監視される前記コンピューティングデバイスのうちの少なくとも１つと、監視される前記アプリケーションのうちの少なくとも１つと、監視される前記ジョブのうちに少なくとも１つとのうちの１つまたは複数の識別子を受信することを含む、請求項１に記載の方法。
【請求項１９】
前記ステータスのうちの１つが性能問題を示すと決定することは、メトリックを閾値と比較することを含む、請求項１に記載の方法。
【請求項２０】
前記コンピューティングデバイス、アプリケーションまたはジョブのうちの１つが、将来の時点において性能問題を有する可能性が高いと予測することを含み、前記予測は、前記コンピューティングデバイス、アプリケーションまたはジョブのリアルタイムステータス情報および履歴ステータス情報と、少なくとも１つの所定の基準とに基づいて行われる、請求項１に記載の方法。
【請求項２１】
前記予測することは、前記コンピューティングデバイスのうちの１つが、特定の時点において前記コンピュータデバイス上で実行されていることが予測されるジョブの数と、前記ジョブの各々の平均ＣＰＵ使用量とに基づいて、容量問題を有する可能性が高いか否かを予測することを含む、請求項２０に記載の方法。
【請求項２２】
ユーザの役割を特定することと、前記ユーザの前記役割に基づいて、前記コンピューティングデバイスのうちの１つのコンピューティングデバイスの前記ステータスと、前記アプリケーションのうちの１つのアプリケーションの前記ステータスと、前記ジョブのうちの１つのジョブの前記ステータスとのうちの１つに関する情報を選択的に提供することとを含む、請求項１に記載の方法。
【請求項２３】
前記ジョブのうちの１つまたは複数によって用いられる１つまたは複数のキューの各々のステータスを監視することを含む、請求項１に記載の方法。
【請求項２４】
前記ジョブのうちの１つまたは複数によって用いられる１つまたは複数のリソースの各々のステータスを監視することを含む、請求項１に記載の方法。
【請求項２５】
前記ジョブのうちの１つまたは複数によって書き込まれた１つまたは複数のファイルの各々のステータスを監視することを含む、請求項１に記載の方法。
【請求項２６】
（ｉ）１つまたは複数のコンピューティングデバイスの各々のステータスと、（ｉｉ）各々のアプリケーションが前記コンピューティングデバイスのうちの少なくとも１つと関連付けられる、１つまたは複数のアプリケーションの各々のステータスと、（ｉｉｉ）各々のジョブが前記アプリケーションのうちの少なくとも１つに関連付けられた、１つまたは複数のジョブの各々のステータスとを監視することと、
ユーザインタフェース上に、前記コンピューティングデバイスのうちの１つまたは複数のコンピューティングデバイスの前記ステータスを示す第１の情報と、前記アプリケーションのうちの１つまたは複数のアプリケーションの前記ステータスを示す第２の情報と、前記ジョブのうちの１つまたは複数のジョブの前記ステータスを示す第３の情報とを表示することを可能にすることとを含み、表示することを可能にすることが、
前記ユーザインタフェース上に表示される対応する第１の情報を有するコンピューティングデバイスごとに、ユーザが、前記コンピューティングデバイスに関連付けられた１つまたは複数のアプリケーションについての前記第２の情報と、前記コンピューティングデバイスに関連付けられた１つまたは複数のジョブについての前記第３の情報とにアクセスすることを可能にすることと、
前記ユーザインタフェース上に表示される対応する第２の情報を有するアプリケーションごとに、前記ユーザが、前記アプリケーションが関連付けられた１つまたは複数のコンピューティングデバイスについての前記第１の情報と、前記アプリケーションに関連付けられた１つまたは複数のジョブについての前記第３の情報とにアクセスすることを可能にすることと、
前記ユーザインタフェース上に表示される対応する第３の情報を有するジョブごとに、前記ユーザが、前記ジョブが関連付けられた１つまたは複数のコンピューティングデバイスについての前記第１の情報と、前記ジョブが関連付けられた１つまたは複数のアプリケーションについての前記第２の情報とにアクセスすることを可能にすることと、
を含む、方法。
【請求項２７】
前記ユーザインタフェース上に、前記コンピューティングデバイスのうちの少なくとも１つと、前記アプリケーションのうちの少なくとも１つと、前記ジョブのうちの少なくとも１つとのうちの１つまたは複数に関連付けられた性能問題を示すアラートを表示することを含む、請求項２６に記載の方法。
【請求項２８】
前記ユーザインタフェースを通じて入力を受信することと、前記受信した入力に基づいて前記性能問題に関連付けられたアクションを実行することとを含む、請求項２７に記載の方法。
【請求項２９】
前記ユーザインタフェース上に表示される対応する第１の情報を有するコンピューティングデバイスごとに、前記ユーザが前記第２の情報にアクセスすることを可能にする第１のリンクと、前記ユーザが前記第３の情報にアクセスすることを可能にする第２のリンクとを提供することを含む、請求項２６に記載の方法。
【請求項３０】
コンピューティングシステムであって、
メモリに結合されたプロセッサを含み、前記プロセッサおよびメモリは、
（ｉ）１つまたは複数のコンピューティングデバイスの各々のステータスと、（ｉｉ）各々のアプリケーションが前記コンピューティングデバイスのうちの少なくとも１つによってホスティングされる、１つまたは複数のアプリケーションの各々のステータスと、（ｉｉｉ）各々のジョブが前記アプリケーションのうちの少なくとも１つに関連付けられた、１つまたは複数のジョブの各々のステータスとを監視し、
前記コンピューティングデバイスのうちの１つのコンピューティングデバイスの前記ステータスと、前記アプリケーションのうちの１つのアプリケーションの前記ステータスと、前記ジョブのうちの１つのジョブの前記ステータスとのうちの１つが、対応するコンピューティングデバイス、アプリケーションまたはジョブに関連付けられた性能問題を示すと決定することであって、前記決定することは前記コンピューティングデバイス、アプリケーションまたはジョブの性能と少なくとも１つの所定の基準との比較に基づいて行われ、
前記性能問題に関連付けられたアクションが実行されることを可能にする、
ように構成されるコンピューティングシステム。
【請求項３１】
前記監視することは、統合制御システムを用いて、前記１つまたは複数のコンピューティングデバイスの各々の前記ステータスと、前記１つまたは複数のアプリケーションの各々の前記ステータスと、前記１つまたは複数のジョブの各々の前記ステータスとを監視することを含む、請求項３０に記載のコンピューティングシステム。
【請求項３２】
アクションが実行されることを可能にすることは、前記アクションを自動的に実行することを含む、請求項３０に記載のコンピューティングシステム。
【請求項３３】
アクションが実行されることを可能にすることは、ユーザからの入力に応答して前記アクションを実行することを含む、請求項３０に記載のコンピューティングシステム。
【請求項３４】
アクションが実行されることを可能にすることは、前記性能問題を示すアラートを提供することと、前記性能問題を示す通信を送信することとのうちの１つまたは複数を含む、請求項３０に記載のコンピューティングシステム。
【請求項３５】
コンピューティングデバイスの前記ステータスを監視することは、前記コンピューティングデバイスのＣＰＵ使用量と、前記コンピューティングデバイスのメモリ使用量とのうちの１つまたは複数を監視することを含む、請求項３０に記載のコンピューティングシステム。
【請求項３６】
アプリケーションの前記ステータスを監視することは、前記アプリケーションの構成ステータスを監視することを含む、請求項３０に記載のコンピューティングシステム。
【請求項３７】
アクションが実行されることを可能にすることは、ユーザが前記アプリケーションを構成することを可能にすることを含む、請求項３６に記載のコンピューティングシステム。
【請求項３８】
アプリケーションの前記ステータスを監視することは、前記アプリケーションのライセンスステータスを監視することを含む、請求項３０に記載のコンピューティングシステム。
【請求項３９】
アクションが実行されることを可能にすることは、前記アプリケーションに関連付けられたライセンスキーをユーザに催促することを含む、請求項３８に記載のコンピューティングシステム。
【請求項４０】
アクションが実行されることを可能にすることは、前記ユーザから前記ライセンスキーを受信し、前記受信したライセンスキーに基づいて前記アプリケーションの前記ライセンスステータスを更新することを含む、請求項３９に記載のコンピューティングシステム。
【請求項４１】
ジョブの前記ステータスを監視することは、前記ジョブのアクティビティと、前記ジョブの実際の開始時間と、前記ジョブの推定開始時間と、前記ジョブに関連付けられた処理持続時間と、前記ジョブのサイズとのうちの１つまたは複数を監視することを含む、請求項３０に記載のコンピューティングシステム。
【請求項４２】
ジョブの前記ステータスを監視することは、前記ジョブに関連付けられた１つまたは複数のサービスの前記ステータスを監視することを含む、請求項３０に記載のコンピューティングシステム。
【請求項４３】
前記サービスは、データベース、キューおよびファイルのうちの１つまたは複数を含む、請求項４２に記載のコンピューティングシステム。
【請求項４４】
前記プロセッサおよびメモリは、前記コンピューティングデバイスのうちの少なくとも１つのコンピューティングデバイスの前記ステータスと、前記アプリケーションのうちの少なくとも１つのアプリケーションの前記ステータスと、前記ジョブのうちの少なくとも１つのジョブの前記ステータスとのうちの１つまたは複数を示す情報をユーザに提供するように構成される、請求項３０に記載のコンピューティングシステム。
【請求項４５】
前記プロセッサおよびメモリは、監視される前記コンピューティングデバイスのうちの少なくとも１つと、監視される前記アプリケーションのうちの少なくとも１つと、監視される前記ジョブのうちの少なくとも１つとのうちの１つまたは複数を自動的に特定するように構成される、請求項３０に記載のコンピューティングシステム。
【請求項４６】
前記プロセッサおよびメモリは、ユーザから、監視される前記コンピューティングデバイスのうちの少なくとも１つと、監視される前記アプリケーションのうちの少なくとも１つと、監視される前記ジョブのうちの少なくとも１つとのうちの１つまたは複数の識別子を受信するように構成される、請求項３０に記載のコンピューティングシステム。
【請求項４７】
前記ステータスのうちの１つが性能問題を示すと決定することは、メトリックを閾値と比較することを含む、請求項３０に記載のコンピューティングシステム。
【請求項４８】
前記プロセッサおよびメモリは、前記コンピューティングデバイス、アプリケーションまたはジョブのうちの１つが、将来の時点において性能問題を有する可能性が高いと予測するように構成され、前記予測は、前記コンピューティングデバイス、アプリケーションまたはジョブのリアルタイムステータス情報および履歴ステータス情報と、少なくとも１つの所定の基準とに基づいて行われる、請求項３０に記載のコンピューティングシステム。
【請求項４９】
前記予測することは、前記コンピューティングデバイスのうちの１つが、特定の時点において前記コンピュータデバイス上で実行されていることが予測されるジョブの数と、前記ジョブの各々の平均ＣＰＵ使用量とに基づいて、容量問題を有する可能性が高いか否かを予測することを含む、請求項４８に記載のコンピューティングシステム。
【請求項５０】
前記プロセッサおよびメモリは、ユーザの役割を特定し、前記ユーザの前記役割に基づいて、前記コンピューティングデバイスのうちの１つのコンピューティングデバイスの前記ステータスと、前記アプリケーションのうちの１つのアプリケーションの前記ステータスと、前記ジョブのうちの１つのジョブの前記ステータスとのうちの１つに関する情報を選択的に提供するように構成される、請求項３０に記載のコンピューティングシステム。
【請求項５１】
前記プロセッサおよびメモリは、前記ジョブのうちの１つまたは複数によって用いられる１つまたは複数のキューの各々のステータスを監視するように構成される、請求項３０に記載のコンピューティングシステム。
【請求項５２】
前記プロセッサおよびメモリは、前記ジョブのうちの１つまたは複数によって用いられる１つまたは複数のリソースの各々のステータスを監視するように構成される、請求項３０に記載のコンピューティングシステム。
【請求項５３】
前記プロセッサおよびメモリは、前記ジョブのうちの１つまたは複数によって書き込まれた１つまたは複数のファイルの各々のステータスを監視するように構成される、請求項３０に記載のコンピューティングシステム。
【請求項５４】
コンピューティングシステムであって、
メモリに結合されたプロセッサを含み、前記プロセッサおよびメモリは、
（ｉ）１つまたは複数のコンピューティングデバイスの各々のステータスと、（ｉｉ）各々のアプリケーションが前記コンピューティングデバイスのうちの少なくとも１つと関連付けられる、１つまたは複数のアプリケーションの各々のステータスと、（ｉｉｉ）各々のジョブが前記アプリケーションのうちの少なくとも１つに関連付けられた、１つまたは複数のジョブの各々のステータスとを監視し、
ユーザインタフェース上に、前記コンピューティングデバイスのうちの１つまたは複数のコンピューティングデバイスの前記ステータスを示す第１の情報と、前記アプリケーションのうちの１つまたは複数のアプリケーションの前記ステータスを示す第２の情報と、前記ジョブのうちの１つまたは複数のジョブの前記ステータスを示す第３の情報とを表示することを可能にするように構成され、前記表示することを可能にすることが、
前記ユーザインタフェース上に表示される対応する第１の情報を有するコンピューティングデバイスごとに、ユーザが、前記コンピューティングデバイスに関連付けられた１つまたは複数のアプリケーションについての前記第２の情報と、前記コンピューティングデバイスに関連付けられた１つまたは複数のジョブについての前記第３の情報とにアクセスすることを可能にすることと、
前記ユーザインタフェース上に表示される対応する第２の情報を有するアプリケーションごとに、前記ユーザが、前記アプリケーションが関連付けられた１つまたは複数のコンピューティングデバイスについての前記第１の情報と、前記アプリケーションに関連付けられた１つまたは複数のジョブについての前記第３の情報とにアクセスすることを可能にすることと、
前記ユーザインタフェース上に表示される対応する第３の情報を有するジョブごとに、前記ユーザが、前記ジョブが関連付けられた１つまたは複数のコンピューティングデバイスについての前記第１の情報と、前記ジョブが関連付けられた１つまたは複数のアプリケーションについての前記第２の情報とにアクセスすることを可能にすることと、
を含む、コンピューティングシステム。
【請求項５５】
前記プロセッサおよびメモリは、前記ユーザインタフェース上に、前記コンピューティングデバイスのうちの少なくとも１つと、前記アプリケーションのうちの少なくとも１つと、前記ジョブのうちの少なくとも１つとのうちの１つまたは複数に関連付けられた性能問題を示すアラートを表示するように構成される、請求項５４に記載のコンピューティングシステム。
【請求項５６】
前記プロセッサおよびメモリは、前記ユーザインタフェースを通じて入力を受信し、前記受信した入力に基づいて前記性能問題に関連付けられたアクションを実行するように構成される、請求項５５に記載のコンピューティングシステム。
【請求項５７】
前記プロセッサおよびメモリは、前記ユーザインタフェース上に表示される対応する第１の情報を有するコンピューティングデバイスごとに、前記ユーザが前記第２の情報にアクセスすることを可能にする第１のリンクと、前記ユーザが前記第３の情報にアクセスすることを可能にする第２のリンクとを提供するように構成される、請求項５４に記載のコンピューティングシステム。
【請求項５８】
コンピューティングシステムに、
（ｉ）１つまたは複数のコンピューティングデバイスの各々のステータスと、（ｉｉ）各々のアプリケーションが前記コンピューティングデバイスのうちの少なくとも１つによってホスティングされる、１つまたは複数のアプリケーションの各々のステータスと、（ｉｉｉ）各々のジョブが前記アプリケーションのうちの少なくとも１つに関連付けられた、１つまたは複数のジョブの各々のステータスとを監視し、
前記コンピューティングデバイスのうちの１つのコンピューティングデバイスの前記ステータスと、前記アプリケーションのうちの１つのアプリケーションの前記ステータスと、前記ジョブのうちの１つのジョブの前記ステータスとのうちの１つが、対応するコンピューティングデバイス、アプリケーションまたはジョブに関連付けられた性能問題を示すと決定することであって、前記コンピューティングデバイス、アプリケーションまたはジョブの性能と少なくとも１つの所定の基準との比較に基づいて行い、
前記性能問題に関連付けられたアクションが実行されることを可能にする、
ようにさせるための命令を記憶する非一時的コンピュータ可読記憶媒体。
【請求項５９】
前記監視することは、統合制御システムを用いて、前記１つまたは複数のコンピューティングデバイスの各々の前記ステータスと、前記１つまたは複数のアプリケーションの各々の前記ステータスと、前記１つまたは複数のジョブの各々の前記ステータスとを監視することを含む、請求項５８に記載のコンピュータ可読記憶媒体。
【請求項６０】
アクションが実行されることを可能にすることは、前記アクションを自動的に実行することを含む、請求項５８に記載のコンピュータ可読記憶媒体。
【請求項６１】
アクションが実行されることを可能にすることは、ユーザからの入力に応答して前記アクションを実行することを含む、請求項５８に記載のコンピュータ可読記憶媒体。
【請求項６２】
アクションが実行されることを可能にすることは、前記性能問題を示すアラートを提供することと、前記性能問題を示す通信を送信することとのうちの１つまたは複数を含む、請求項５８に記載のコンピュータ可読記憶媒体。
【請求項６３】
コンピューティングデバイスの前記ステータスを監視することは、前記コンピューティングデバイスのＣＰＵ使用量と、前記コンピューティングデバイスのメモリ使用量とのうちの１つまたは複数を監視することを含む、請求項５８に記載のコンピュータ可読記憶媒体。
【請求項６４】
アプリケーションの前記ステータスを監視することは、前記アプリケーションの構成ステータスを監視することを含む、請求項５８に記載のコンピュータ可読記憶媒体。
【請求項６５】
アクションが実行されることを可能にすることは、ユーザが前記アプリケーションを構成することを可能にすることを含む、請求項６４に記載のコンピュータ可読記憶媒体。
【請求項６６】
アプリケーションの前記ステータスを監視することは、前記アプリケーションのライセンスステータスを監視することを含む、請求項５８に記載のコンピュータ可読記憶媒体。
【請求項６７】
アクションが実行されることを可能にすることは、前記アプリケーションに関連付けられたライセンスキーをユーザに催促することを含む、請求項６６に記載のコンピュータ可読記憶媒体。
【請求項６８】
アクションが実行されることを可能にすることは、前記ユーザから前記ライセンスキーを受信し、前記受信したライセンスキーに基づいて前記アプリケーションの前記ライセンスステータスを更新することを含む、請求項６７に記載のコンピュータ可読記憶媒体。
【請求項６９】
ジョブの前記ステータスを監視することは、前記ジョブのアクティビティと、前記ジョブの実際の開始時間と、前記ジョブの推定開始時間と、前記ジョブに関連付けられた処理持続時間と、前記ジョブのサイズとのうちの１つまたは複数を監視することを含む、請求項５８に記載のコンピュータ可読記憶媒体。
【請求項７０】
ジョブの前記ステータスを監視することは、前記ジョブに関連付けられた１つまたは複数のサービスの前記ステータスを監視することを含む、請求項５８に記載のコンピュータ可読記憶媒体。
【請求項７１】
前記サービスは、データベース、キューおよびファイルのうちの１つまたは複数を含む、請求項７０に記載のコンピュータ可読記憶媒体。
【請求項７２】
前記命令は前記コンピューティングシステムに、前記コンピューティングデバイスのうちの少なくとも１つのコンピューティングデバイスの前記ステータスと、前記アプリケーションのうちの少なくとも１つのアプリケーションの前記ステータスと、前記ジョブのうちの少なくとも１つのジョブの前記ステータスとのうちの１つまたは複数を示す情報をユーザに提供させる、請求項５８に記載のコンピュータ可読記憶媒体。
【請求項７３】
前記命令は前記コンピューティングシステムに、監視される前記コンピューティングデバイスのうちの少なくとも１つと、監視される前記アプリケーションのうちの少なくとも１つと、監視される前記ジョブのうちの少なくとも１つとのうちの１つまたは複数を自動的に特定させる、請求項５８に記載のコンピュータ可読記憶媒体。
【請求項７４】
前記命令は前記コンピューティングシステムに、監視される前記コンピューティングデバイスのうちの少なくとも１つと、監視される前記アプリケーションのうちの少なくとも１つと、監視される前記ジョブのうちの少なくとも１つとのうちの１つまたは複数の識別子を受信させる、請求項５８に記載のコンピュータ可読記憶媒体。
【請求項７５】
前記ステータスのうちの１つが性能問題を示すと決定することは、メトリックを閾値と比較することを含む、請求項５８に記載のコンピュータ可読記憶媒体。
【請求項７６】
前記命令は前記コンピューティングシステムに、前記コンピューティングデバイス、アプリケーションまたはジョブのうちの１つが、将来の時点において性能問題を有する可能性が高いと予測させ、前記予測は、前記コンピューティングデバイス、アプリケーションまたはジョブのリアルタイムステータス情報および履歴ステータス情報と、少なくとも１つの所定の基準とに基づいて行われる、請求項５８に記載のコンピュータ可読記憶媒体。
【請求項７７】
前記予測することは、前記コンピューティングデバイスのうちの１つが、特定の時点において前記コンピュータデバイス上で実行されていることが予測されるジョブの数と、前記ジョブの各々の平均ＣＰＵ使用量とに基づいて、容量問題を有する可能性が高いか否かを予測することを含む、請求項７６に記載のコンピュータ可読記憶媒体。
【請求項７８】
前記命令は前記コンピューティングシステムに、ユーザの役割を特定させ、前記ユーザの前記役割に基づいて、前記コンピューティングデバイスのうちの１つのコンピューティングデバイスの前記ステータスと、前記アプリケーションのうちの１つのアプリケーションの前記ステータスと、前記ジョブのうちの１つのジョブの前記ステータスとのうちの１つに関する情報を選択的に提供させる、請求項５８に記載のコンピュータ可読記憶媒体。
【請求項７９】
前記命令は前記コンピューティングシステムに、前記ジョブのうちの１つまたは複数によって用いられる１つまたは複数のキューの各々のステータスを監視させる、請求項５８に記載のコンピュータ可読記憶媒体。
【請求項８０】
前記命令は前記コンピューティングシステムに、前記ジョブのうちの１つまたは複数によって用いられる１つまたは複数のリソースの各々のステータスを監視させる、請求項５８に記載のコンピュータ可読記憶媒体。
【請求項８１】
前記命令は前記コンピューティングシステムに、前記ジョブのうちの１つまたは複数によって書き込まれた１つまたは複数のファイルの各々のステータスを監視させる、請求項５８に記載のコンピュータ可読記憶媒体。
【請求項８２】
コンピューティングシステムであって、
メモリに結合されたプロセッサを含み、前記プロセッサおよびメモリは、
（ｉ）１つまたは複数のコンピューティングデバイスの各々のステータスと、（ｉｉ）各々のアプリケーションが前記コンピューティングデバイスのうちの少なくとも１つと関連付けられる、１つまたは複数のアプリケーションの各々のステータスと、（ｉｉｉ）各々のジョブが前記アプリケーションのうちの少なくとも１つに関連付けられた、１つまたは複数のジョブの各々のステータスとを監視し、
ユーザインタフェース上に、前記コンピューティングデバイスのうちの１つまたは複数のコンピューティングデバイスの前記ステータスを示す第１の情報と、前記アプリケーションのうちの１つまたは複数のアプリケーションの前記ステータスを示す第２の情報と、前記ジョブのうちの１つまたは複数のジョブの前記ステータスを示す第３の情報とを表示することを可能にするように構成され、前記表示することを可能にすることが、
前記ユーザインタフェース上に表示される対応する第１の情報を有するコンピューティングデバイスごとに、ユーザが、前記コンピューティングデバイスに関連付けられた１つまたは複数のアプリケーションについての前記第２の情報と、前記コンピューティングデバイスに関連付けられた１つまたは複数のジョブについての前記第３の情報とにアクセスすることを可能にすることと、
前記ユーザインタフェース上に表示される対応する第２の情報を有するアプリケーションごとに、前記ユーザが、前記アプリケーションが関連付けられた１つまたは複数のコンピューティングデバイスについての前記第１の情報と、前記アプリケーションに関連付けられた１つまたは複数のジョブについての前記第３の情報とにアクセスすることを可能にすることと、
前記ユーザインタフェース上に表示される対応する第３の情報を有するジョブごとに、前記ユーザが、前記ジョブが関連付けられた１つまたは複数のコンピューティングデバイスについての前記第１の情報と、前記ジョブが関連付けられた１つまたは複数のアプリケーションについての前記第２の情報とにアクセスすることを可能にすることと、
を含む、コンピューティングシステム。
【請求項８３】
前記プロセッサおよびメモリは、前記ユーザインタフェース上に、前記コンピューティングデバイスのうちの少なくとも１つと、前記アプリケーションのうちの少なくとも１つと、前記ジョブのうちの少なくとも１つとのうちの１つまたは複数に関連付けられた性能問題を示すアラートを表示させるように構成される、請求項８２に記載のコンピューティングシステム。
【請求項８４】
前記プロセッサおよびメモリは、前記ユーザインタフェースを通じて入力を受信し、前記受信した入力に基づいて前記性能問題に関連付けられたアクションを実行するように構成される、請求項８３に記載のコンピューティングシステム。
【請求項８５】
前記プロセッサおよびメモリは、前記ユーザインタフェース上に表示される対応する第１の情報を有するコンピューティングデバイスごとに、前記ユーザが前記第２の情報にアクセスすることを可能にする第１のリンクと、前記ユーザが前記第３の情報にアクセスすることを可能にする第２のリンクとを提供するように構成される、請求項８２に記載のコンピューティングシステム。